(57)【特許請求の範囲】
【請求項１】
光源が原稿に照射した光の反射光をイメージセンサが画素毎に光電変換した結果に応じて、原稿サイズの判定及び原稿の読取りを行う画像読取装置であって、
原稿サイズの判定を行う場合、原稿の読取りを行う場合よりも前記光源が照射する光量を低減させるよう制御する制御部と、
原稿サイズの判定を行う場合、原稿の読取りを行う場合よりも前記イメージセンサが主走査方向の光電変換を行う周期を拡張させる周期拡張部と、
原稿サイズの判定を行う場合、予め定められた複数の前記画素が光電変換した結果を平均化する平均化部と、
前記周期拡張部が拡張させた周期で前記平均化部が平均化した結果に応じて原稿サイズの判定を行う判定部と、
を有し、
前記周期拡張部は、
前記イメージセンサに対して予め定められた光量の外乱光が入射しても、前記イメージセンサの光電変換が飽和しないように、光電変換を行う周期を拡張させること
を特徴とする画像読取装置。
【請求項２】
前記イメージセンサの暗時の黒シェーディングデータを用いて黒シェーディング補正を行う第１補正部をさらに有し、
前記平均化部は、
前記第１補正部が黒シェーディング補正を行った結果に基づいて、複数の前記画素が光電変換した結果を平均化する
を特徴とする請求項１に記載の画像読取装置。
【請求項３】
前記第１補正部は、
原稿サイズの判定を行う前に取得された暗時の黒シェーディングデータを用いて黒シェーディング補正を行うこと
を特徴とする請求項２に記載の画像読取装置。
【請求項４】
前記第１補正部は、
前記周期拡張部が拡張させた周期で取得された暗時の黒シェーディングデータを用いて黒シェーディング補正を行うこと
を特徴とする請求項２又は３に記載の画像読取装置。
【請求項５】
前記光源は、
点灯及び消灯をそれぞれ独立に制御可能にされた複数のブロックに分けられており、
前記制御部は、
原稿サイズの判定を行う場合に、原稿サイズの判定に不要な前記ブロックを消灯させるよう制御すること
を特徴とする請求項１乃至４のいずれか１項に記載の画像読取装置。
【請求項６】
前記光源が白色基準部材に照射した光の反射光を前記イメージセンサが画素毎に光電変換した結果である白シェーディングデータを用いて白シェーディング補正を行う第２補正部をさらに有し、
前記平均化部は、
前記第２補正部が白シェーディング補正を行った結果に基づいて、複数の前記画素が光電変換した結果を平均化すること
を特徴とする請求項１乃至５のいずれか１項に記載の画像読取装置。
【請求項７】
前記第２補正部は、
原稿サイズの判定を行う前に取得された白シェーディングデータを用いて白シェーディング補正を行うこと
を特徴とする請求項６に記載の画像読取装置。
【請求項８】
光源が原稿に照射した光の反射光をイメージセンサが画素毎に光電変換した結果に応じて、原稿サイズの判定及び原稿の読取りを行う画像読取装置であって、
原稿サイズの判定を行う場合、原稿の読取りを行う場合よりも前記光源が照射する光量を低減させるよう制御する制御部と、
原稿サイズの判定を行う場合、原稿の読取りを行う場合よりも前記イメージセンサが主走査方向の光電変換を行う周期を拡張させる周期拡張部と、
原稿サイズの判定を行う場合、予め定められた複数の前記画素が光電変換した結果を平均化する平均化部と、
前記周期拡張部が拡張させた周期で前記平均化部が平均化した結果に応じて原稿サイズの判定を行う判定部と、
を有し、
前記イメージセンサの暗時の黒シェーディングデータを用いて黒シェーディング補正を行う第１補正部をさらに有し、
前記平均化部は、
前記第１補正部が黒シェーディング補正を行った結果に基づいて、複数の前記画素が光電変換した結果を平均化し、
前記第１補正部は、
前記周期拡張部が拡張させた周期で取得された暗時の黒シェーディングデータを用いて黒シェーディング補正を行うこと
を特徴とする画像読取装置。
【請求項９】
前記第１補正部は、
原稿サイズの判定を行う前に取得された暗時の黒シェーディングデータを用いて黒シェーディング補正を行うこと
を特徴とする請求項８に記載の画像読取装置。
【請求項１０】
請求項１乃至９のいずれか１項に記載の画像読取装置と、
前記画像読取装置が読取った画像データに基づく画像を形成する画像形成部と
を有することを特徴とする画像形成装置。
【発明の詳細な説明】
【技術分野】
【０００１】
本発明は、画像読取装置及び画像形成装置に関する。
【背景技術】
【０００２】
画像読取装置には、上部に設けられた圧板を閉めるときに原稿のサイズを判定する機能を備えたものがある。特に、画像読取速度が速い装置では、大きな光量で光源が原稿に光を照射する必要があり、原稿サイズを判定する場合にユーザが眩しさを感じてしまうことがある。ユーザが眩しさを感じることを低減するために、原稿のサイズを判定するときに光源が照射する光量を低減する技術が知られている。
【０００３】
また、特許文献１には、画像読取部が待機モードであるとき、画像読取部の通常動作モード時の動作クロックと比べて、読取制御部及びイメージセンサへの動作クロック周波数は維持しながら、イメージセンサへの動作クロックの停止期間であるマスク期間を画像読取部の通常動作モード時より延長するように調整する画像読取装置が開示されている。
【発明の概要】
【発明が解決しようとする課題】
【０００４】
しかしながら、従来は、原稿を高速に読取ることと、原稿サイズを判定する場合にユーザが感じる眩しさを低減することとを両立させることができないという問題があった。
【０００５】
本発明は、上記に鑑みてなされたものであって、原稿を高速に読取ることと、原稿サイズを誤って判定することを防止しつつ原稿サイズを判定する場合にユーザが感じる眩しさを低減することとを両立させることができる画像読取装置及び画像形成装置を提供することを目的とする。
【課題を解決するための手段】
【０００６】
上述した課題を解決し、目的を達成するために、本発明は、光源が原稿に照射した光の反射光をイメージセンサが画素毎に光電変換した結果に応じて、原稿サイズの判定及び原稿の読取りを行う画像読取装置であって、原稿サイズの判定を行う場合、原稿の読取りを行う場合よりも前記光源が照射する光量を低減させるよう制御する制御部と、原稿サイズの判定を行う場合、原稿の読取りを行う場合よりも前記イメージセンサが主走査方向の光電変換を行う周期を拡張させる周期拡張部と、原稿サイズの判定を行う場合、予め定められた複数の前記画素が光電変換した結果を平均化する平均化部と、前記周期拡張部が拡張させた周期で前記平均化部が平均化した結果に応じて原稿サイズの判定を行う判定部と、を有し、前記周期拡張部は、前記イメージセンサに対して予め定められた光量の外乱光が入射しても、前記イメージセンサの光電変換が飽和しないように、光電変換を行う周期を拡張させることを特徴とする。
【発明の効果】
【０００７】
本発明によれば、原稿を高速に読取ることと、原稿サイズを誤って判定することを防止しつつ原稿サイズを判定する場合にユーザが感じる眩しさを低減することとを両立させることができるという効果を奏する。
【図面の簡単な説明】
【０００８】
【図１】図１は、実施形態にかかる画像形成装置の構成例を示す構成図である。
【図２】図２は、画像読取装置の構成例を示す構成図である。
【図３】図３は、原稿検知位置と原稿サイズとの位置関係を示す図である。
【図４】図４は、イメージセンサが原稿サイズの判定のために出力する画像信号例を示す図である。
【図５】図５は、比較例の画像読取装置において、原稿サイズ検知時のユーザの眩しさに対して、光源の光量を低減させて対応させた場合の光量と画像信号との関係を示す図である。
【図６】図６は、比較例の画像読取装置において、イメージセンサが原稿サイズの判定のために出力した画像信号例を示す図である。
【図７】図７は、実施形態にかかる画像読取装置が原稿サイズを判定するために有する機能を示すブロック図である。
【図８】図８は、周期拡張部の動作例を示す図である。
【図９】図９は、平均化部の動作例を示す図である。
【図１０】図１０は、周期拡張部のみが動作する場合の画像読取装置の動作を示す図である。
【図１１】図１１は、平均化部のみが動作する場合の画像読取装置の動作を示す図である。
【図１２】図１２は、光源の構成例を示す図である。
【図１３】図１３は、光源が照射する光量が大きい場合にユーザが感じる眩しさを概念的に示す図である。
【図１４】図１４は、光源が光量を減少させた場合の眩しさの低減を示す図である。
【図１５】図１５は、画像読取装置が光源を部分点灯させた場合にユーザに届く発光範囲を示す図である。
【図１６】図１６は、図１５に示した部分点灯による光量の変化を示す図である。
【図１７】図１７は、比較例の画像読取装置が原稿サイズ検知時に行うシェーディング補正を例示する図である。
【図１８】図１８は、光源を部分点灯させて取得したシェーディングデータを用いて行うシェーディング補正を示す図である。
【図１９】図１９は、画像読取装置が原稿サイズを判定する場合の白シェーディングデータの取得位置を示す図である。
【図２０】図２０は、イメージセンサの構成及びその周辺を示す図である。
【図２１】図２１は、比較例の画像読取装置が有するイメージセンサの固定パターンノイズと画像信号のＳ／Ｎを示す図である。
【図２２】図２２は、画像読取装置が有する第１補正部の動作例を示す図である。
【図２３】図２３は、第１補正部の黒シェーディング補正による固定パターンノイズの軽減効果を示す図である。
【発明を実施するための形態】
【０００９】
以下に添付図面を参照して、実施形態にかかる画像形成装置を説明する。図１は、実施形態にかかる画像形成装置３００の構成例を示す構成図である。画像形成装置３００は、給紙部３０３及び画像形成装置本体３０４を有し、上部に画像読取装置１００及び自動原稿給送装置（ＡＤＦ）２００が搭載されたデジタル複写機である。
【００１０】
画像形成装置本体３０４内には、タンデム方式の作像部（画像形成部）３０５と、給紙部３０３から搬送路３０７を介して供給される記録紙を作像部３０５に搬送するレジストローラ３０８と、光書き込み装置３０９と、定着搬送部３１０と、両面トレイ３１１とが設けられている。
【００１１】
作像部３０５には、Ｙ，Ｍ，Ｃ，Ｋの４色のトナーに対応して４本の感光体ドラム３１２が並設されている。各感光体ドラム３１２の回りには、帯電器、現像器３０６、転写器、クリーナ、及び除電器を含む作像要素が配置されている。
【００１２】
また、転写器と感光体ドラム３１２との間には両者のニップに挟持された状態で駆動ローラと従動ローラとの間に張架された中間転写ベルト３１３が配置されている。
【００１３】
このように構成されたタンデム方式の画像形成装置３００は、Ｙ，Ｍ，Ｃ，Ｋの色毎に各色に対応する感光体ドラム３１２に光書き込みを行い、現像器３０６で各色のトナー毎に現像し、中間転写ベルト３１３上に例えばＹ，Ｍ，Ｃ，Ｋの順に１次転写を行う。
【００１４】
そして、画像形成装置３００は、１次転写により４色重畳されたフルカラーの画像を記録紙に２次転写した後、定着して排紙することによりフルカラーの画像を記録紙上に形成する。また、画像形成装置３００は、画像読取装置１００が読取った画像を記録紙上に形成する。
【００１５】
図２は、画像読取装置１００の構成例を示す構成図である。画像読取装置１００は、デジタル複写機、デジタル複合機、ファクシミリ装置等の画像形成装置に搭載されるスキャナ装置である。また、画像読取装置１００は、単体のスキャナ装置であってもよい。そして、画像読取装置１００は、光源からの照射光によって被写体（読取対象）である原稿を照明し、その原稿からの反射光をＣＭＯＳイメージセンサで受光した信号に処理を行い、原稿の画像データを読み取る。
【００１６】
具体的には、画像読取装置１００は、図２に示すように、原稿を載置するコンタクトガラス１０１と、原稿露光用の光源４０及び第１反射ミラー１０３を具備する第１キャリッジ１０６と、第２反射ミラー１０４及び第３反射ミラー１０５を具備する第２キャリッジ１０７とを有する。また、画像読取装置１００は、イメージセンサ（ＣＭＯＳイメージセンサ）５０と、イメージセンサ５０に結像するためのレンズユニット１０８と、読取り光学系等による各種の歪みを補正するためなどに用いる基準白板（白色基準部材）１１０とを備えている。
【００１７】
そして、画像読取装置１００は、原稿の画像面をスキャン（走査）して原稿の画像を読み取るスキャンモード時には、第１キャリッジ１０６及び第２キャリッジ１０７により、ステッピングモータによって副走査方向に原稿を走査する。このとき、コンタクトガラス１０１からイメージセンサ５０までの光路長を一定に維持するために、第２キャリッジ１０７は第１キャリッジ１０６の１／２の速度で移動する。
【００１８】
同時に、コンタクトガラス１０１上にセットされた原稿の下面である画像面が第１キャリッジ１０６の光源４０によって照明（露光）される。すると、その画像面からの反射光像が第１キャリッジ１０６の第１反射ミラー１０３、第２キャリッジ１０７の第２反射ミラー１０４及び第３反射ミラー１０５、並びにレンズユニット１０８経由でイメージセンサ５０へ順次送られて結像される。
【００１９】
そして、イメージセンサ５０の光電変換により信号が出力され、出力された信号はデジタル信号に変換される。このように、原稿の画像が読み取られ、デジタルの画像データが得られる。
【００２０】
次に、画像読取装置１００が行う原稿サイズの判定（原稿サイズ検知）について説明する。図３は、画像読取装置１００における原稿検知位置（スポット）と原稿サイズとの位置関係を示す図である。画像読取装置１００は、図３に示したように、定型の原稿サイズに合わせてコンタクトガラス１０１の下方の複数箇所に原稿検知位置としてスポットＳＰ１〜ＳＰ３が設定されている。画像読取装置１００は、コンタクトガラス１０１の左側端部及び奥側端部の原稿基準に合わせて載置された状態の原稿に対し、主走査方向についてＳＰ１〜ＳＰ３により有無を検知し、副走査方向については他のスポットにより有無を検知する。
【００２１】
画像読取装置１００は、原稿の主走査方向に対し、光源４０及びイメージセンサ５０を利用して、光源４０が照射した光の原稿からの反射光にイメージセンサ５０内の画素が反応したか否か、すなわち、当該反射光をイメージセンサ５０の画素が受光したか否かにより、各スポットＳＰ１〜ＳＰ３における原稿の有無を検知する。
【００２２】
図４は、イメージセンサ５０が原稿サイズの判定のために出力する画像信号例を示す図である。画像読取装置１００は、イメージセンサ５０内の画素５００それぞれが出力する図４に示した画像信号を後述する判定部６０６が受入れて原稿サイズの判定（原稿サイズ検知）を行う。判定部６０６は、図４に示した画像信号を受入れた場合、スポットＳ１、Ｓ２が反応有り、スポットＳ３が反応なしとして、原稿がＢ４サイズ横置き、又はＢ５サイズ縦置きであるとして原稿サイズを判定する。
【００２３】
図５は、比較例の画像読取装置において、原稿サイズ検知時のユーザの眩しさに対して、光源の光量を低減させて対応させた場合の光量と画像信号との関係を示す図である。図６は、比較例の画像読取装置において、イメージセンサが原稿サイズの判定のために出力した画像信号例を示す図である。
【００２４】
従来の画像読取装置は、例えば縮小光学系による画像読取を行っており、一般に画素サイズの小さいイメージセンサを使用している。そのため、読取った画像品質を保証するためには、非常に大きな光量が必要となる。また、従来の画像読取装置は、原稿サイズ検知を行うときに、この大きな光量によってユーザが眩しさを感じるという問題がある。従来は、高速画像読取り動作が可能であり、光源の大きな光量を必要とするＣＭＯＳイメージセンサを使用した縮小光学系の画像読取装置で特に問題となっていた。
【００２５】
ユーザの眩しさを低減するために、従来は、例えば図５に示したように、画像読取時に対して、原稿サイズ検知時に光源の光量を下げていた。しかし、この場合には、ＣＭＯＳイメージセンサに蓄積される光の総量が減ってしまい、ある程度光量が下げられると、図６に示したように、信号対雑音比（Ｓ／Ｎ）が悪化してしまい、原稿サイズを誤検知してしまう可能性が高くなる。
【００２６】
図７は、実施形態にかかる画像読取装置１００が原稿サイズを判定するために有する機能を示すブロック図である。図７に示すように、画像読取装置１００は、原稿サイズを判定するための処理を行う処理部６０と、この処理部６０を構成する各部を制御する制御部６２とを有する。
【００２７】
例えば、制御部６２は、画像読取装置１００が原稿サイズの判定を行う場合、原稿の読取りを行う場合よりも光源４０が照射する光量を低減させるよう制御する。処理部６０は、光源４０、イメージセンサ５０、周期拡張部６０２、平均化部６０４、判定部６０６、及び補正処理部６０８を含んで構成される。光源４０及びイメージセンサ５０は、原稿サイズの判定時（原稿のサイズ検知時）及び原稿の読取り時（画像読取時）のいずれにも用いられる。
【００２８】
周期拡張部６０２は、画像読取装置１００が原稿サイズの判定を行う場合、原稿の読取りを行う場合よりもイメージセンサ５０が主走査方向の光電変換を行う周期を拡張させる。また、周期拡張部６０２は、イメージセンサ５０に対して予め定められた光量の外乱光（想定された外乱光の最大光量）が入射しても、イメージセンサ５０の光電変換が飽和しないように、イメージセンサ５０が光電変換を行う周期を拡張させる。
【００２９】
平均化部６０４は、画像読取装置１００が原稿サイズの判定を行う場合、予め定められた複数の画素５００が光電変換した結果を平均化する。ここで、平均化部６０４は、主走査方向に並ぶ複数の画素５００に対して平均化を行ってもよいし、主走査方向及び副走査方向にそれぞれ範囲が設定された領域（パッチ）に対して複数の画素５００が光電変換した結果を平均化してもよい。また、平均化部６０４は、後述する第１補正部６１０が黒シェーディング補正を行った結果、及び後述する第２補正部６１２が白シェーディング補正を行った結果に基づいて、複数の画素５００が光電変換した結果を平均化する。
【００３０】
判定部６０６は、周期拡張部６０２が拡張させた周期で平均化部６０４が平均化した結果に応じて原稿サイズの判定を行う。補正処理部６０８は、第１補正部６１０及び第２補正部６１２を有する。第１補正部６１０は、イメージセンサ５０の暗時の黒シェーディングデータを用いて黒シェーディング補正を行う。第２補正部６１２は、光源４０が基準白板１１０に照射した光の反射光をイメージセンサ５０が画素毎に光電変換した結果である白シェーディングデータを用いて白シェーディング補正を行う。
【００３１】
なお、第１補正部６１０は、原稿サイズの判定を行う前（例えば直前）に取得された暗時の黒シェーディングデータを用いて黒シェーディング補正を行う。また、第１補正部６１０は、周期拡張部６０２が拡張させた周期で取得された暗時の黒シェーディングデータを用いて黒シェーディング補正を行う。また、第２補正部６１２は、原稿サイズの判定を行う前（例えば直前）に取得された白シェーディングデータを用いて白シェーディング補正を行う。
【００３２】
次に、図面を用いて処理部６０及び制御部６２の動作をさらに詳述する。図８は、周期拡張部６０２の動作例を示す図である。図８に示すように、画像読取時に対して原稿サイズ検知時に光源４０の光量が下げられると、周期拡張部６０２は、イメージセンサ５０が外乱光の蓄積によって飽和しない範囲で主走査方向のライン周期を拡張する。つまり、画像読取装置１００は、原稿サイズ検知時の光の蓄積時間を延ばすことにより、イメージセンサ５０に蓄積される光の総量を確保し、Ｓ／Ｎを向上させ、原稿サイズの誤検知を防止する。
【００３３】
図９は、平均化部６０４の動作例を示す図である。図９に示すように、平均化部６０４は、原稿サイズ検知時にイメージセンサ５０が画素毎に読取った複数のデータを平均化することにより、Ｓ／Ｎを向上させる。これにより、画像読取装置１００は、原稿サイズ検知時に光源４０の光量をさらに低減させることが可能となり、ユーザの眩しさを低減させることができる。平均化部６０４は、平均化に使用する画素数が多くなるほどＳ／Ｎを向上させることができるため、必要なＳ／Ｎに応じて平均化に用いる画素数（例えばライン数など）を増加させてもよい。
【００３４】
次に、画像読取装置１００が周期拡張部６０２及び平均化部６０４の両方を備えていることによる効果を、周期拡張部６０２又は平均化部６０４のいずれかがない場合と比較することによって説明する。図１０は、周期拡張部６０２のみが動作する場合（平均化部６０４がない場合）の画像読取装置１００の動作を示す図である。図１１は、平均化部６０４のみが動作する場合（周期拡張部６０２がない場合）の画像読取装置１００の動作を示す図である。
【００３５】
図１０に示すように、周期拡張部６０２のみが動作する場合、イメージセンサ５０が外乱光の蓄積によって飽和しないように、周期拡張部６０２がライン周期を拡張させても、光源４０の光量に対する外乱光の光量の割合が増えることがある。この場合、ショットノイズの影響が大きくなり、Ｓ／Ｎが不十分となることがある。
【００３６】
また、図１１に示すように、平均化部６０４のみが動作する場合、平均化部６０４が平均化する画素データの数を増やしてＳ／Ｎを改善させても、改善できるＳ／Ｎは平均化部６０４が平均化する画素データの数に応じて限界がある。
【００３７】
つまり、画像読取装置１００は、周期拡張部６０２及び平均化部６０４の両方を備えていることにより、原稿サイズを誤って判定することを防止しつつ、原稿サイズを判定する場合にユーザが感じる眩しさを低減することができる。
【００３８】
次に、光源４０の構成例と、ユーザが感じる眩しさについて説明する。図１２は、光源４０の構成例を示す図である。光源４０は、例えば２つの光源部材４００−１，４００−２によって構成される。光源部材４００−１，４００−２は、複数のＬＥＤなどの発光部材（点光源：ブロック）４０２がそれぞれ主走査方向に配列されている。また、発光部材４０２は、点灯及び消灯をそれぞれ独立に制御可能にされている。
【００３９】
図１３は、光源４０が照射する光量が大きい場合にユーザが感じる眩しさを概念的に示す図である。イメージセンサ５０の画素サイズが小さくされて高速な画像読取が可能にされている場合、イメージセンサ５０に対する光量蓄積時間の短さを補えるだけの非常に大きな光量が光源４０に必要となる。また、１の光源部材に搭載できる点光源の数に限りがあり、光源部材当たりの光量が制限されてしまう場合、複数の光源部材によって高速な画像読取に必要な光量を得ることがある。
【００４０】
また、画像読取装置１００は、原稿サイズを正しく判定するために、原稿があるとするスポットと、原稿がないとするスポットとを判別する必要がある。例えば、図１３に示すように、画像読取装置１００は、コンタクトガラス１０１の原稿に覆われていない部分に対しても光源４０を点灯させる必要がある。原稿サイズ検知時にユーザが眩しさを感じるのは、光源４０が原稿に覆われていない部分に対しても発光させてしまい、その光がユーザの目に届いてしまうためである。
【００４１】
図１４は、光源４０が光量を減少させた場合の眩しさの低減を示す図である。なお、図１４（ａ）は、従来の画像読取装置が光源の光量を減少させることなく原稿サイズを検知した場合を示している。図１４（ｂ）は、実施形態にかかる画像読取装置１００が光源４０の光量を減少させて原稿サイズを検知する場合を示している。図１４（ｂ）に示したように、画像読取装置１００は、ユーザが眩しくなくなるように、光源４０の光量を低減させて原稿サイズを検知する。
【００４２】
図１５は、画像読取装置１００が光源４０を部分点灯させた場合にユーザに届く発光範囲を示す図である。図１５に示すように、画像読取装置１００は、原稿サイズの検知に必要でない範囲（スポットＳ１〜Ｓ３を含まない範囲など）に対し、光源４０を点灯させないように制御部６２が制御を行う（部分点灯）。例えば、画像読取装置１００は、Ｂ４横置きの原稿の主走査方向のサイズ判別には、スポットＳ１、Ｓ２の位置で原稿有り、スポットＳ３の位置で原稿無しという判定ができればよく、スポットＳ３よりも外側の領域の情報は不要である。そのため、画像読取装置１００は、スポットＳ３より外側の領域を消灯させることにより、ユーザの目に届く光量を低減させることができる。
【００４３】
図１６は、図１５に示した部分点灯による光量の変化を示す図である。図１５に示したように、画像読取装置１００が原稿サイズ検知時に主走査方向のサイズ判別に不必要な領域を消灯させる部分点灯を行うと、ユーザの目に届く光量をより低減しながらも、原稿サイズ検知の精度を保つことができる。そして、図１６に示したように、全点灯時の光量が大きい場合ほど、同じブロック数の部分点灯時における光量の低減量が大きくなる。
【００４４】
さらに、原稿サイズの判定におけるＳ／Ｎを向上させるために、シェーディング補正も有効である。図１７は、比較例の画像読取装置が原稿サイズ検知時に行うシェーディング補正を例示する図である。なお、ＡＤＣ出力データとは、イメージセンサが出力した結果をＡ／Ｄ変換するＡ／Ｄ変換器が出力したデータである。例えば、画像読取装置は、イメージセンサの感度や光源の光量などの不均一性、レンズのＣＯＳ４乗則による端部の光量落ち込みなどによる主走査方向の光量むらを、事前にシェーディングデータを取得して、読取画像との比を取ることによって補正する。
【００４５】
図１７（ａ）に示した比較例の画像読取装置は、原稿サイズ検知時に光源を全点灯させて取得したシェーディングデータを用いて補正を行っており、部分点灯時とは主走査方向の光量の均一性が異なる。そのため、図１７（ｂ）に示したように、比較例の画像読取装置が全点灯時のシェーディングデータを使用してシェーディング補正を行うと、光源の部分点灯の場合に最適なシェーディング補正を行うことができない。特に原稿端部の補正後出力データが落ち込んでしまう。画像読取装置は、原稿サイズを判定する場合、原稿端部のデータによって原稿の有無を判定しているので、端部の補正が正しく行われないと判定の精度が悪化し、原稿サイズの誤検知を招く。
【００４６】
図１８は、実施形態にかかる画像読取装置１００が光源４０を部分点灯させて取得したシェーディングデータを用いて行うシェーディング補正を示す図である。画像読取装置１００は、光源４０を部分点灯させて画像読取後に基準白板１１０を読み取ることにより、原稿サイズ検知の動作を遅延させることなく、光源４０の部分点灯状態でのシェーディングデータを取得する（図１９参照）。画像読取装置１００は、光源４０の部分点灯によるシェーディングデータによって白シェーディング補正を行うことにより、原稿サイズの判定の精度が改善され、原稿サイズの誤検知を防ぐことができる。
【００４７】
図１９は、画像読取装置１００が原稿サイズを判定する場合の白シェーディングデータの取得位置を示す図である。図１９に示すように、画像読取装置１００は、原稿サイズを判定する場合、サイズ検知位置Ａ、又はサイズ検知位置Ａからホームポジション側（図１９では左側）へ第１キャリッジ１０６が移動するときに原稿の一部を読み取り、原稿のサイズを判定する。そして、画像読取装置１００は、シェーディングデータ取得位置Ｂに第１キャリッジ１０６が達したときに基準白板１１０を読取って白シェーディングデータを取得する。
【００４８】
よって、画像読取装置１００は、原稿サイズの判定用の原稿読み取りとほぼ同タイミングで点灯範囲が同一の白シェーディングデータを取得できるため、精度のよい白シェーディング補正が可能である。また、画像読取装置１００は、イメージセンサ５０の固定パターンノイズを補正するために、外乱光が入らない基準白板１１０の下方に第１キャリッジ１０６が達したときに黒シェーディングデータを取得する。
【００４９】
次に、イメージセンサ５０についてさらに詳述する。図２０は、イメージセンサ５０の構成及びその周辺を示す図である。イメージセンサ５０は、例えば主走査方向に配列された複数の画素５００と、アナログ処理部５１０、パラレルシリアル変換部（パラ−シリ変換部）５２０、デジタル増幅部（Ｄ＿ｇａｉｎ）５２２、ＬＶＤＳ５２４及びタイミング制御部（ＴＧ）５３０を有するＣＭＯＳリニアセンサであり、ＣＰＵ５１の制御に応じて動作する。
【００５０】
画素５００それぞれは、光電変換を行うフォトダイオード５０１と、フォトダイオード５０１が発生させた電荷を転送させる回路等を有する。また、イメージセンサ５０は、Ｒ，Ｇ，Ｂの色毎にそれぞれ一方向に配列された複数の画素５００を備えていてもよい。
【００５１】
アナログ処理部５１０は、複数のＰＧＡ（Programmable  Gain  Amplifier）５１２、及び複数のＡ／Ｄ変換器５１４を有し、画素５００それぞれが出力するアナログ信号を増幅して、デジタル信号に変換し、パラレルシリアル変換部５２０に対してそれぞれ出力する。
【００５２】
パラレルシリアル変換部５２０は、アナログ処理部５１０が出力した各デジタル信号をパラレルシリアル変換し、デジタル増幅部５２２に対して出力する。デジタル増幅部５２２は、パラレルシリアル変換部５２０から入力された信号を増幅させ、ＬＶＤＳ５２４に対して出力する。ＬＶＤＳ５２４は、デジタル増幅部５２２から入力された信号を低電圧差動シリアル信号に変換し、後段に対して出力する。タイミング制御部５３０は、イメージセンサ５０を構成する各部を制御する。
【００５３】
図２１は、比較例の画像読取装置が有するイメージセンサにおけるＣＭＯＳ特有の固定パターンノイズと画像信号のＳ／Ｎを示す図である。図２１（ａ）に示すように、イメージセンサは、画素毎にオフセットが異なる固定パターンノイズがある。固定パターンノイズが補正されていない場合、図２１（ｂ）に示すように、画像信号にノイズが乗ったままとなり、原稿サイズを判定するための閾値を用いた判定精度が悪化してしまう。
【００５４】
図２２は、画像読取装置１００が有する第１補正部６１０の動作例を示す図である。第１補正部６１０は、ＣＭＯＳイメージセンサ特有の固定パターンノイズを低減するために、原稿読取前に遮光状態の暗時画像を取得し、画素５００毎に黒シェーディングデータ（基準黒レベル）として保持して、画素５００毎に画像を読取った画像信号から黒シェーディングデータをそれぞれ減算する黒シェーディング補正を行う。
【００５５】
図２３は、第１補正部６１０の黒シェーディング補正による固定パターンノイズの軽減効果を示す図である。画像読取装置１００は、第１補正部６１０が黒シェーディング補正を行うことにより、固定パターンノイズによる画素５００毎のオフセット差を補正することができるので、図２３に示したように原稿サイズの判定における画像信号のＳ／Ｎを改善することができる。
【符号の説明】
【００５６】
１１、５１  ＣＰＵ
４０  光源
５０  イメージセンサ
６０  処理部
６２  制御部
１００  画像読取装置
１１０  基準白板
３００  画像形成装置
３０５  作像部（画像形成部）
４００−１，４００−２  光源部材
４０２  発光部材（点光源：ブロック）
５００  画素
６０２  周期拡張部
６０４  平均化部
６０６  判定部
６０８  補正処理部
６１０  第１補正部
６１２  第２補正部
【先行技術文献】
【特許文献】
【００５７】
【特許文献１】特許第５０８７５９０号公報
【図１】
0006536238.tif 000002
【図２】
0006536238.tif 000003
【図３】
0006536238.tif 000004
【図４】
0006536238.tif 000005
【図５】
0006536238.tif 000006
【図６】
0006536238.tif 000007
【図７】
0006536238.tif 000008
【図８】
0006536238.tif 000009
【図９】
0006536238.tif 000010
【図１０】
0006536238.tif 000011
【図１１】
0006536238.tif 000012
【図１２】
0006536238.tif 000013
【図１３】
0006536238.tif 000014
【図１４】
0006536238.tif 000015
【図１５】
0006536238.tif 000016
【図１６】
0006536238.tif 000017
【図１７】
0006536238.tif 000018
【図１８】
0006536238.tif 000019
【図１９】
0006536238.tif 000020
【図２０】
0006536238.tif 000021
【図２１】
0006536238.tif 000022
【図２２】
0006536238.tif 000023
【図２３】
0006536238.tif 000024